(57)【要約】【課題】ポンプを廃して消費電力を低減できると共に、水回路での放熱ロスを抑制することで、機器効率が高く、かつ利便性に優れたヒートポンプ給湯装置を提供することにある。【解決手段】ヒートポンプサイクル５と、融解熱を利用して蓄熱を行う融点の異なる複数の潜熱蓄熱材３３と前記ヒートポンプサイクル５の放熱器２７を備えた蓄熱手段１３を有し、前記蓄熱手段１３の熱により給湯を行う給湯手段３１と、前記蓄熱手段１３に蓄熱した熱を吸熱する利用側吸熱手段４２と、前記利用側吸熱手段４２で吸熱した熱を放熱する利用側放熱手段４３を備えたことにより、ポンプを廃して消費電力を低減できると共に、水回路での放熱ロスを抑制することで、機器効率が高く、かつ利便性に優れたヒートポンプ給湯装置を提供することができる。【選択図】図１
2005326078.tif 000002
【特許請求の範囲】
【請求項１】
ヒートポンプサイクルと、融解熱を利用して蓄熱を行う融点の異なる複数の潜熱蓄熱材と前記ヒートポンプサイクルの放熱器を備えた蓄熱手段を有し、前記蓄熱手段の熱により給湯を行う給湯手段と、前記蓄熱手段に蓄熱した熱を吸熱する利用側吸熱手段と、前記利用側吸熱手段で吸熱した熱を放熱する利用側放熱手段とを備えたことを特徴とするヒートポンプ給湯装置。
【請求項２】
利用側吸熱手段は、少なくとも２種類以上の融点の異なる潜熱蓄熱材より吸熱する事を特徴とする請求項１記載のヒートポンプ給湯装置。
【請求項３】
複数の潜熱蓄熱材のそれぞれの蓄熱量を検知する蓄熱量検知手段を有し、蓄熱量が所定以下となった場合にヒートポンプサイクルによる潜熱蓄熱材への蓄熱運転を行うことを特徴する請求項１又は請求項２に記載のヒートポンプ給湯装置。
【請求項４】
風呂への注湯を検知する風呂センサーを有し、風呂への注湯時以降にヒートポンプサイクルによる潜熱蓄熱材への蓄熱運転を行うことを特徴する請求項１〜３の何れか１項に記載のヒートポンプ給湯装置。
【請求項５】
利用側放熱手段は、床暖房用熱交換器であることを特徴する請求項１〜４の何れか１項に記載のヒートポンプ給湯装置。
【請求項６】
利用側放熱手段は、空調用熱交換器であることを特徴する請求項１〜４の何れか１項に記載のヒートポンプ給湯装置。
【請求項７】
利用側放熱手段は、バス乾燥機用熱交換器であることを特徴する請求項１〜４の何れか１項に記載のヒートポンプ給湯装置。
【請求項８】
利用側放熱手段は、風呂加熱用熱交換器であることを特徴する請求項１〜４の何れか１項に記載のヒートポンプ給湯装置。
【請求項９】
ヒートポンプサイクルに臨界圧力以上に昇圧された冷媒を用いたことを特徴とする請求項１〜８の何れか１項に記載のヒートポンプ給湯装置。
【発明の詳細な説明】
【技術分野】
【０００１】
本発明は、ヒートポンプサイクルを用いたヒートポンプ給湯装置に関する。
【背景技術】
【０００２】
図８は従来の技術によるヒートポンプ給湯装置である。図を見ながら説明する。まず冷媒回路２８は圧縮機１と、外部熱交換器２と、減圧手段３及び室外熱交換器４を環状に連接してヒートポンプサイクル５を構成している。
【０００３】
外部熱交換器２は冷媒の通過する冷媒用配管６ａと水の通過する水用配管６ｂから成り、互いに熱交換する様に構成されている。
【０００４】
水回路１５として、開閉弁１４と、ポンプ８と、水用配管６ｂと、蓄熱手段１３内に設けられた、高温側熱交換器１１、低温側熱交換器１２とが順に接続されている。また、開閉弁１４と低温側熱交換器１２の間に市水などを供給する給水源１６が接続されており、さらに、ポンプ８と水用配管６ｂの間より給湯端末１７が接続されている。
【０００５】
以上のように構成された従来のヒートポンプ給湯装置について、ここでは特徴的な動作である蓄熱運転についてのみ説明する。
【０００６】
蓄熱運転は、蓄熱手段１３の高温側蓄熱材９及び低温側蓄熱材１０を融解することにより、熱を蓄える運転である。冷媒回路２８においては、冷媒が以下のように循環する。すなわち、冷媒が圧縮機１で圧縮されて吐出され高温高圧のガスとなる。この高温の冷媒は、外部熱交換器２の冷媒用配管６ａ内で水用配管６ｂの水と熱交換して冷却される。この水用配管６ｂの水は後述するように低温側熱交換器１２で冷却されたものである。
【０００７】
冷媒用配管６ａを流出した高温の冷媒は、膨張弁３によって減圧されると共に冷却されて凝縮する。減圧によって温度が低下した冷媒は、吸熱器４において蒸発する。吸熱器４を流出した冷媒は、蒸発し低温のガスとなって圧縮機１に吸入される。この循環が繰り返される。
【０００８】
水回路１５においては、開閉弁１４は開成され、ポンプ８を駆動源として水回路１５内の水を水用配管６ｂ、高温側熱交換器１１、低温側熱交換器１２、開閉弁１４の順に循環する。
【０００９】
水回路１５の水は、外部熱交換器２の水用配管６ｂにおいて、冷媒回路２８の冷媒用配管６ａを流れる冷媒によって例えば８０℃程度に加熱され、高温の温水となる。この高温水は蓄熱手段１３の高温側熱交換器１１に流入する。そして、この高温水は、高温側蓄熱材９と熱交換すると共に次第に冷却される。その後、この冷却された高温水は、低温側熱交換器１０に流入する。この結果、高温側蓄熱材９は高温水によって加熱されて上部から順に融解し、高温側蓄熱材９に熱が蓄えられる。
【００１０】
そして、この水は低温側熱交換器１２に流れ、低温側蓄熱材１０と熱交換して次第に冷却されて低温水となる。この結果、低温側蓄熱材１０は水によって加熱されて上部から順に融解し、低温側蓄熱材１０に熱が蓄えられる。
【００１１】
低温側熱交換器１２を流出した低温水は例えば２５℃程度となっており、開閉弁１４を介してポンプ８を通って外部熱交換器２の水用配管６ｂに流入する。外部熱交換器２の水用配管６ｂに流入した水は、冷媒用配管６ａの冷媒と熱交換して加熱される。これらの循環を繰り返すことになる（特許文献１参照）。
【特許文献１】特開２００３−２３２５６３号公報
【発明の開示】
【発明が解決しようとする課題】
【００１２】
しかしながら、上記の構成では、蓄熱運転時にポンプ８を駆動する必要がある。また、蓄熱運転後、水回路１５内の高温の水は放熱することになり、再び蓄熱運転を開始する時には、水回路１５内の低温の水を加熱することになる。従って、ポンプ８による消費電力に加え、水回路１５での放熱ロスがあるため機器の効率は低下することになる。また、上記構成では、利用者にお湯を供給する給湯のみにしか利用できず利便性が悪い。
【００１３】
本発明の目的は、ポンプ８を廃して機器効率を向上して運転効率が高く、かつ利便性に優れたヒートポンプ給湯装置を提供することにある。
【課題を解決するための手段】
【００１４】
この目的を達成するために本発明のヒートポンプ給湯装置は、ヒートポンプサイクルと、融解熱を利用して蓄熱を行う融点の異なる複数の潜熱蓄熱材と前記ヒートポンプサイクルの放熱器を備えた蓄熱手段を有し、前記蓄熱手段の熱により給湯を行う給湯手段と、前記蓄熱手段に蓄熱した熱を吸熱する利用側吸熱手段と、前記利用側吸熱手段で吸熱した熱を放熱する利用側放熱手段とを備えたものとする。これにより、ポンプを廃して消費電力を低減できると共に、水回路での放熱ロスを抑制でき、給湯以外の利用も可能となる。
【発明の効果】
【００１５】
本発明のヒートポンプ給湯装置は、ポンプを廃して消費電力を低減できると共に、水回路での放熱ロスを抑制することで、機器効率が高く、かつ利便性に優れたヒートポンプ給湯装置を提供することができる。
【発明を実施するための最良の形態】
【００１６】
第１の発明は、ヒートポンプサイクルと、融解熱を利用して蓄熱を行う融点の異なる複数の潜熱蓄熱材と前記ヒートポンプサイクルの放熱器を備えた蓄熱手段を有し、前記蓄熱手段の熱により給湯を行う給湯手段と、前記蓄熱手段に蓄熱した熱を吸熱する利用側吸熱手段と、前記利用側吸熱手段で吸熱した熱を放熱する利用側放熱手段を備えたものとする。
【００１７】
これにより、ポンプを廃して消費電力を低減でき、水回路での放熱ロスを抑制できると共に、給湯以外の利用も可能となる。
【００１８】
第２の発明は、特に第１の発明で、前記利用側吸熱手段は少なくとも２種類以上の融点の異なる前記潜熱蓄熱材より吸熱するようにした。
【００１９】
これにより、ポンプを廃して消費電力を低減できると共に、水回路での放熱ロスを抑制でき、幅広く潜熱蓄熱材を利用できるので放熱効率を向上できる。さらに、給湯以外の利用も可能となる。
【００２０】
第３の発明は、特に第１、２の発明で、複数の前記潜熱蓄熱材のそれぞれの蓄熱量を検知する蓄熱量検知手段を有し、蓄熱量が所定以下となった場合に前記ヒートポンプサイクルによる前記潜熱蓄熱材への蓄熱運転を行うようにした。
【００２１】
これにより、ポンプを廃して消費電力を低減できると共に、水回路での放熱ロスを抑制できると共に給湯以外の利用も可能となる。また、蓄熱量の減少に伴いヒートポンプを運転することで、エンタルピー差を大きくとることができるので、蓄熱量を増大でき、蓄熱時にヒートポンプサイクルの効率を向上できる。
【００２２】
第４の発明は、特に第１〜３の発明において、お風呂への注湯を検知する風呂センサーを有し、風呂への注湯時以降に前記ヒートポンプサイクルによる前記潜熱蓄熱材への蓄熱運転を行うようにした。
【００２３】
これにより、ポンプを廃して消費電力を低減できると共に、水回路での放熱ロスを抑制できると共に給湯以外の利用も可能となる。また、風呂への注湯時には融点の低い潜熱蓄熱材の熱が吸熱されることになり、このときヒートポンプを運転すると、エンタルピー差を大きくとることができるので、蓄熱量を増大でき、蓄熱時にヒートポンプサイクルの効率を向上できる。
【００２４】
第５の発明は、特に第１〜４の発明において、前記利用側放熱手段を床暖房用熱交換器とした。これにより、ポンプを廃して消費電力を低減できると共に、水回路での放熱ロスを抑制できると共に床暖房の利用も可能となる。
【００２５】
第６の発明は、特に第１〜４の発明において、前記利用側放熱手段を空調用熱交換器とした。これにより、ポンプを廃して消費電力を低減できると共に、水回路での放熱ロスを抑制できると共に暖房空調機としての利用も可能となる。
【００２６】
第７の発明は、特に第１〜４の発明において、前記利用側放熱手段をバス乾燥機熱交換器としてた。これにより、ポンプを廃して消費電力を低減できると共に、水回路での放熱ロスを抑制できると共にバス乾燥機としての利用も可能となる。
【００２７】
第８の発明は、特に第１〜４の発明において、前記利用側放熱手段を風呂加熱用熱交換器とした。これにより、ポンプを廃して消費電力を低減できると共に、水回路での放熱ロスを抑制できると共に風呂の加熱、保温も可能となる。
【００２８】
第９の発明は、特に第１〜８の発明において、前記ヒートポンプサイクルに、臨界圧力以上に昇圧された冷媒を用いた。これにより、放熱器を流れる冷媒は、圧縮機で臨界圧力以上に加圧されているので、放熱器で熱を奪われて温度低下しても凝縮することがない。したがって放熱器全域で冷媒と潜熱蓄熱材とに温度差を形成しやすくなり熱交換効率を高くできる。
【００２９】
（実施の形態）
以下、本発明の実施の形態によるヒートポンプ給湯装置ついて図面を用いて説明する。図１は本発明の実施の形態おけるヒートポンプ給湯装置の回路図である。背景技術で説明した構成については同一符号を付し詳細な説明を省略する。
【００３０】
先ず、本実施の形態によるヒートポンプ給湯装置のヒートポンプサイクルについて説明する。ヒートポンプサイクル５は、圧縮機１、放熱器２７、減圧手段３、吸熱器４を環状に順次連接して構成され、冷媒として臨界温度の低い炭酸ガスを使用している。圧縮機１は、内蔵する電動モータ（図示しない）によって駆動され吸引した冷媒を、一般的使用条件において臨界圧力以上まで圧縮して吐出する。
【００３１】
また、放熱器２７は高温側潜熱蓄熱材９と冷媒の熱交換を行う高温側熱交換器１１、中温側潜熱蓄熱材２０と冷媒の熱交換を行う中温側熱交換器２２及び低温側潜熱蓄熱材１０と冷媒との熱交換を行う低温側熱交換器１２で構成されている。
【００３２】
放熱器２７は、蓄熱手段１３に内蔵されている高温側潜熱蓄熱材９、中温側潜熱蓄熱材２０、低温側潜熱蓄熱材１０の順に圧縮機１より吐出された高圧のガス冷媒と熱交換するものである。なお、放熱器２７に流入する冷媒（炭酸ガス）は、圧縮機１で臨界圧力以上に加圧されており、放熱器２７で放熱しても凝縮することはない。
【００３３】
また、放熱器２７は高温側潜熱蓄熱材９と冷媒の熱交換を行う高温側熱交換器１１、中温側潜熱蓄熱材２０と冷媒の熱交換を行う中温側熱交換器２２及び低温側潜熱蓄熱材１０と冷媒との熱交換を行う低温側熱交換器１２で構成されている。
【００３４】
減圧手段３は、放熱器２７から流出する冷媒を減圧する減圧装置で、絞りを調整して適度に減圧して冷媒を断熱膨張させて低温の冷媒とする。吸熱器４は減圧手段３から流出してきた冷媒を外気との熱交換によって蒸発させる。
【００３５】
さらに、水側熱交換器２９は高温側潜熱蓄熱材９と水の熱交換を行う高温側放熱器１８、中温側潜熱蓄熱材２０と水の熱交換を行う中温側放熱器２２及び低温側潜熱蓄熱材１０と水との熱交換を行う低温側放熱器１９で構成されている。
【００３６】
そして、蓄熱手段１３は放熱器２７、水側熱交換器２９、高温側潜熱蓄熱材９中温側潜熱蓄熱材２０、低温側潜熱蓄熱材１０で構成されており、各々、高温側潜熱蓄熱材９、中温側潜熱蓄熱材２０、低温側潜熱蓄熱材１０は融解して液状になった時、混合しない様、仕切板３０で仕切られている。
【００３７】
高温側潜熱蓄熱材９、中温側潜熱蓄熱材２０、低温側潜熱蓄熱材１０は融点の異なる潜熱蓄熱材であり、高温側潜熱蓄熱材９は例えば融点が約７０℃の酢酸ナトリウム系のパラフィンであり、中温側潜熱蓄熱材２０は例えば融点が約５０℃の酢酸ソーダ混合物、低温側潜熱蓄熱材１０は例えば融点が約３０℃の硫酸ナトリウム系のパラフィンを用いても構わない。尚、本実施の形態では３種類の潜熱蓄熱材３３を用いたが４種類以上用いても構わない。
【００３８】
また、各々の潜熱蓄熱材３３と放熱器２７或いは水側熱交換器２９が直接接触すると腐食がおこる場合にはエポキシ樹脂等で放熱器２７或いは水側熱交換器２９表面をコーティングしても構わない。
【００３９】
給湯手段３１では、市水などの給水源１６が低温側放熱器１９、中温側放熱器２２、高温側放熱器１８の順に接続され、さらに給水管２４を介して混合弁２３に接続されている。給水源１６から供給された水は低温側放熱器１９、中温側放熱器２２、高温側放熱器１８の順に通過してゆき徐々に加熱されて高温の湯となり給湯管２４に送り出される。また、給水源１６は給水管２５を介して混合弁２３に接続されている。
【００４０】
給湯時には、給湯管２４からの湯と給水管２５の水が混合弁２３で混合されて適温となって給湯端末１７より取り出される。
【００４１】
また、高温側利用吸熱器４０は高温側潜熱蓄熱材９と利用側回路内４５の冷媒の熱交換を行い、中温側利用吸熱器４１は中温側潜熱蓄熱材２０と利用側回路内４５の冷媒の熱交換を行う。高温側利用吸熱器４０、中温側利用吸熱器４１で利用側吸手段４２を構成している。
【００４２】
本実施例では、利用側吸熱手段４２の熱源として、高温側潜熱蓄熱材９、中温側潜熱蓄熱材２０の高温側の２種類の潜熱蓄熱材にて説明しているが、低温側潜熱蓄熱材１０を含む２種類以上の組み合わせで用いても構わない、さらに、単独で用いても構わない。利用側ポンプ４４によって利用側回路４５内を流れる冷媒は、利用側吸熱手段４２で吸熱した熱を利用側放熱手段４３に搬送することになる。
【００４３】
また、蓄熱量検知手段４６は例えば複数のサーミスタ４８で構成され各潜熱蓄熱材３３の温度を測定することによりに蓄熱量を検知している。さらに、風呂センサー４７により風呂への注湯を検知できる。具体的には、風呂注湯弁（図示しない）の開成動作命令にて検知しても良い。
【００４４】
また、図４〜図７で、それぞれ利用側放熱手段４２として床暖房用熱交換器４９を用いて床暖房を行い、空調用熱交換器５０を用いて暖房を行い、バス乾燥機用熱交換器５１を用いてバスの乾燥を行い、風呂加熱用熱交換器５２を用いて風呂の加熱、保温を行うことができる。
【００４５】
このように構成された、本発明の給湯装置の動作について次に説明する。本給湯装置は蓄熱手段１３への蓄熱運転、蓄熱手段１３からの放熱による給湯運転及び蓄熱運転と給湯運転の同時運転の運転モードに加えて、利用側放熱手段４３による放熱運転を有している。
【００４６】
先ず、蓄熱手段１３への蓄熱運転について説明する。蓄熱運転は、蓄熱手段１３の高温側蓄熱材９、中温側潜熱蓄熱材２０及び低温側蓄熱材１０を融解することにより、熱を蓄える運転である。
【００４７】
冷媒回路２８においては、冷媒が以下のように循環する。すなわち、冷媒が圧縮機１で圧縮されて吐出され高温高圧のガスとなる。この高温の冷媒は、放熱器２７の内の高温側熱交換器１１に入り高温側潜熱蓄熱材９と熱交換して蓄熱する。次に、中温側熱交換器２１に入り中温側潜熱蓄熱材２０と熱交換して蓄熱する。さらに、低温側熱交換器１２に入り低温側蓄熱材１０と熱交換して蓄熱する。
【００４８】
これら冷媒が放熱器２７を通過する間、冷媒は放熱し徐々に温度が低下して冷却される。冷却された冷媒は圧縮機１で臨界圧力以上に加圧されており、放熱器２７で放熱しても凝縮することはなくガス状態のまま膨張弁３によって減圧されると共に断熱膨張して冷却されて凝縮し液ガスの二相状態となる。
【００４９】
減圧によって温度が低下した冷媒は、吸熱器４において外気との熱交換によって加熱し蒸発し低温のガスとなって圧縮機１に吸入される。この循環が繰り返されることにより、高温側潜熱蓄熱材９、中温側潜熱蓄熱材２０、低温側潜熱蓄熱材１２のそれぞれの蓄熱材に蓄熱されることになる。
【００５０】
従って、本発明の給湯装置の蓄熱運転時には動力源として圧縮機１を用いれば良く、冷媒回路２８を運転するのみであり、また、水回路３１内の水を加熱しなくて良い。
またこのとき、放熱器２７で、冷媒が冷却される間の潜熱蓄熱材と冷媒の温度は冷媒の流れ方向に対して概ね図２の様になる。
【００５１】
図２において、Ａ点で高温側熱交換器１１に流入した冷媒温度は約１００℃であり、高温側潜熱蓄熱材１１は融点である約７０℃となっている。
【００５２】
Ｂ点では高温側熱交換器１１を通った冷媒が冷却され約７０℃となって中温側熱交換器２１に流入する。Ａ点からＢ点に至る間に、冷媒は高温側潜熱蓄熱材１１を加熱し蓄熱する。中温側熱交換器２１では、流入する冷媒温度は約７０℃であり、中温側潜熱蓄熱材２０は融点である約５０℃となっている。
【００５３】
Ｃ点では中温側熱交換器２１を通った冷媒が冷却され約５０℃となって低温側熱交換器１２に流入する。Ｂ点からＣ点に至る間に、冷媒は中温側潜熱蓄熱材２０を加熱し蓄熱する。低温側熱交換器１２では、流入する冷媒温度は約５０℃であり、低温側潜熱蓄熱材１０は融点である約３０℃となっている。
【００５４】
Ｄ点では、低温側熱交換器１２を通った冷媒が冷却され約３０℃となって低温側熱交換器１２を出て、減圧手段３に送られる。Ｃ点からＤ点に至る間に、冷媒は低温側潜熱蓄熱材１０を加熱し蓄熱する。
【００５５】
従って、冷媒温度が約１００℃から約３０℃の間のエンタルピーを蓄熱できエンタルピー差を大きくとることができる。すなわち、圧縮機１の消費電力に対する蓄熱量が増加するため冷媒回路２８の効率の低下を防止できる。
【００５６】
また、蓄熱運転は、蓄熱量検知手段４６により潜熱蓄熱材３３の蓄熱量が所定値以下、例えば、融解温度以下となった場合、又は、風呂センサー４７により蓄熱を多量に放熱する運転である風呂への注湯が開始されたときに優先して行う。この時、蓄熱材は温度が低下しているため、エンタルピー差を大きくとることができる。
【００５７】
次に、蓄熱手段１３からの放熱による給湯運転について説明する。給湯手段３１による給湯運転は蓄熱手段１３に蓄えられた熱を給水源１６から供給された水に放熱して湯をつくる運転であり、通常蓄熱運転が終了後に行うことになる。
【００５８】
給水源１６から供給された水はその水圧により低温側放熱器１９、中温側放熱器２２、高温側放熱器１８の順に通過する。その間、それぞれ低温側潜熱蓄熱材１０、中温側潜熱蓄熱材２０、高温側潜熱蓄熱材９に予め蓄熱されてあった熱を吸熱して、徐々に高温の湯になり給湯管２４を通して混合弁２３に送られる。
【００５９】
一方、給水源１６から供給された水は給水管２５を介して混合弁２３に送られ給湯管２４からの湯と給水管２５の水が混合弁２３で混合されて適温となって給湯端末１７より取り出される。このようにして、給湯手段３１による給湯運転が行われる。
【００６０】
この時、水側熱交換器２９で加熱される間の潜熱蓄熱材と水の温度は水の流れ方向に対して概ね図３の様になる。
【００６１】
図３において、Ａ点で低温側放熱器１９に流入した水温は約２０℃であり、低温側潜熱蓄熱材１０は融点である約３０℃となっている。
【００６２】
Ｂ点では低温側放熱器１９を通った水が加熱され約３０℃となって中温側放熱器２２に流入する。Ａ点からＢ点に至る間に、水は低温側潜熱蓄熱材１０を冷却し吸熱する。中温側放熱器２２では、流入する冷媒温度は約３０℃であり、中温側潜熱蓄熱材２０は融点である約５０℃となっている。
【００６３】
Ｃ点では中温側放熱器２２を通った水が加熱され約５０℃となって高温側放熱器１８に流入する。Ｂ点からＣ点に至る間に、水は中温側潜熱蓄熱材２０を冷却し吸熱する。高温側放熱器１８では、流入する水温は約５０℃であり、高温側潜熱蓄熱材９は約７０℃となっている。
【００６４】
Ｄ点では、高温側放熱器１８を通った水が加熱され約７０℃となって高温側放熱器１８を出て、給湯管２４に送られる。Ｃ点からＤ点に至る間に、水は高温側潜熱蓄熱材９を冷却し吸熱する。
【００６５】
従って、水温が約２０℃から約７０℃に順次加熱することにより、温度の低い低温側蓄熱材１０の蓄熱も利用することができるので蓄熱手段１３内の熱を有効に取り出せる。
【００６６】
そして、蓄熱運転と給湯運転の同時運転については、先述のヒートポンプサイクル５による蓄熱運転と給湯端末１７からの給湯を行う給湯運転を同時に行う運転であり、説明を割愛する。
【００６７】
最後に、利用側熱交換器４３による放熱運転について説明する。
【００６８】
放熱運転では、利用側ポンプ４４によって利用側回路４５内を流れる冷媒は、中温側利用吸熱器４１に入り、中温側潜熱蓄熱材２０と熱交換して吸熱し、さらに高温側利用吸熱器４０に送られて、高温側潜熱蓄熱材９と熱交換してさらに吸熱し、利用側放熱手段４３に搬送されて、放熱する。
【００６９】
この時、利用側放熱手段４３は、床暖房用熱交換器４９として床暖房を行い、あるいは、空調用熱交換器５０として暖房を行い、また、バス乾燥機用熱交換器５１としてバスの乾燥を行い、そして、風呂加熱用熱交換器５２として風呂の加熱、保温を行うことになる。
【００７０】
以上の様に、本実施の形態においては、ヒートポンプサイクル５と、融解熱を利用して蓄熱を行う融点の異なる複数の潜熱蓄熱材と前記ヒートポンプサイクル５の放熱器２７を備えた蓄熱手段１３を有し、前記蓄熱手段の熱により給湯を行う給湯手段３１と、前記蓄熱手段１３に蓄熱した熱を吸熱する利用側吸熱手段４２と前記利用側吸熱手段４２で吸熱した熱を放熱する利用側放熱手段４３を備えたので蓄熱運転時には圧縮機１を用いれば良く、冷媒回路２８を運転するのみで、給湯手段３１内の水を加熱しなくて良いのでポンプ８を廃して消費電力を低減できると共に、給湯手段３１での放熱ロスを抑制でき、機器効率を向上できると共に、給湯以外の利用も可能となり利便性が向上する。
【００７１】
また、本実施の形態においては、前記利用側吸熱手段４２は少なくとも２種類以上の融点の異なる前記潜熱蓄熱材３３より吸熱するようにしたので、蓄熱運転時には圧縮機１を用いれば良く、冷媒回路２８を運転するのみで、給湯手段３１内の水を加熱しなくて良いので、ポンプ８を廃して消費電力を低減できると共に、給湯手段３１での放熱ロスを抑制でき、機器効率を向上できると共に、給湯以外の利用も可能となり利便性が向上する。
【００７２】
さらに、本実施の形態においては、複数の前記潜熱蓄熱材３３でのそれぞれの蓄熱量を検知する蓄熱量検知手段４６を有し、蓄熱量が所定以下となった場合に前記ヒートポンプサイクル５による前記潜熱蓄熱材３３への蓄熱運転を行うようにした。
【００７３】
これにより、ポンプ８を廃して消費電力を低減できると共に、給湯手段３１での放熱ロスを抑制できると共に給湯以外の利用も可能となる。蓄熱量の減少に伴いヒートポンプを運転することで、エンタルピー差を大きくとることができるので、蓄熱量を増大でき、蓄熱時にヒートポンプサイクル５の効率を向上できる。
【００７４】
さらにまた、本実施の形態においては、風呂への注湯を検知する風呂センサー４７を有し、風呂への注湯時以降に前記ヒートポンプサイクル５による前記潜熱蓄熱材３３への蓄熱運転を行うようにした。
【００７５】
これにより、ポンプ８を廃して消費電力を低減できると共に、給湯手段３１での放熱ロスを抑制できると共に給湯以外の利用も可能となる。また、風呂への注湯時には融点の低い潜熱蓄熱材の熱が吸熱されることになり、このときヒートポンプを運転すると、エンタルピー差を大きくとることができるので、蓄熱量を増大でき、蓄熱時にヒートポンプサイクル５の効率を向上できる。
【００７６】
さらに、本実施の形態においては、前記利用側放熱手段４３を床暖房用熱交換器４９とした。これにより、ポンプ８を廃して消費電力を低減できると共に、給湯手段３１での放熱ロスを抑制できると共に床暖房の利用も可能となる。
【００７７】
また、本実施の形態においては、前記利用側放熱手段４３を空調用熱交換器５０とした。これにより、ポンプ８を廃して消費電力を低減できると共に、給湯手段３１での放熱ロスを抑制できると共に暖房空調機としての利用も可能となる。
【００７８】
さらに、本実施の形態においては、前記利用側放熱手段４３をバス乾燥機熱交換器５１とした。これにより、ポンプ８を廃して消費電力を低減できると共に、給湯手段３１での放熱ロスを抑制できると共にバス乾燥機としての利用も可能となる。
【００７９】
また、本実施の形態においては、前記利用側放熱手段４３を風呂加熱用熱交換器５２とした。これにより、ポンプ８を廃して消費電力を低減できると共に、水回路での放熱ロスを抑制できると共に風呂の加熱、保温も可能となる。
【００８０】
最後に、本実施の形態においては、ヒートポンプサイクル５に、臨界圧力以上に昇圧された冷媒を用いたので、放熱器２７を流れる冷媒は、圧縮機１で臨界圧力以上に加圧されているので、放熱器２７で熱を奪われて温度低下しても凝縮することがない。したがって放熱器２７全域で冷媒と潜熱蓄熱材とに温度差を形成しやすくなり熱交換効率を高くでき、機器効率を向上できる。
【産業上の利用可能性】
【００８１】
以上のように、本発明にかかるヒートポンプ給湯装置は、ポンプを廃して消費電力を低減できると共に、水回路での放熱ロスを抑制しすることで機器効率の高く、かつ利便性の高いヒートポンプ給湯装置として有用である。
【図面の簡単な説明】
【００８２】
【図１】本発明の実施の形態におけるヒートポンプ給湯装置の回路図
【図２】本発明の実施形態における蓄熱手段内の冷媒と蓄熱材の温度の関係図
【図３】本発明の実施形態における蓄熱手段内の水と蓄熱材の温度の関係図
【図４】本発明の実施の形態における床暖房のヒートポンプ給湯装置の回路図
【図５】本発明の実施の形態における暖房空調のヒートポンプ給湯装置の回路図
【図６】本発明の実施の形態におけるバス乾燥のヒートポンプ給湯装置の回路図
【図７】本発明の実施の形態における風呂加熱、保温のヒートポンプ給湯装置の回路図
【図８】従来のヒートポンプ給湯装置の回路図
【符号の説明】
【００８３】
５  ヒートポンプサイクル
１３  蓄熱手段
２７  放熱器
３１  給湯手段
３３  潜熱蓄熱材
４２  利用側吸熱手段
４３  利用側放熱手段
４６  蓄熱量検知手段
４７  風呂センサー
４９  床暖房用熱交換器
５０  空調用熱交換器
５１  バス乾燥機用熱交換器
５２  風呂加熱用熱交換器
【図１】
2005326078.tif 000003
【図２】
2005326078.tif 000004
【図３】
2005326078.tif 000005
【図４】
2005326078.tif 000006
【図５】
2005326078.tif 000007
【図６】
2005326078.tif 000008
【図７】
2005326078.tif 000009
【図８】
2005326078.tif 000010